(57)【要約】【課題】純正映像音声装置と、非純正オーディオ装置とを容易に接続しうるカーオーディオ用アダプタ、及び、これを用いたカーＡＶシステムを提供する。【解決手段】カーオーディオ用アダプタ１の入力コネクタ１０はＤＩＮ８構造であって、ケーブル３１、３２の一端側に設けられている。出力コネクタ２１、２２は単ピン構造であって、ケーブル３１、３２の他端側に設けられている。カーＡＶシステムは、上述したカーオーディオ用アダプタ１と、映像音声装置５と、オーディオ装置６とを含む。映像音声装置５の音声出力コネクタ５１はＤＩＮ８ピン構造である。オーディオ装置６の音声入力コネクタ６１は単ピン構造である。カーオーディオ用アダプタ１は、入力コネクタ１０が映像音声装置５の音声出力コネクタ５１に接続され、出力コネクタ２１、２２がオーディオ装置６の音声入力コネクタ６１に接続されている。【選択図】    図１
2004259603.tif 000002
【特許請求の範囲】
【請求項１】
ケーブルと、入力コネクタと、出力コネクタとを含むカーオーディオ用アダプタであって、
前記入力コネクタは、ＤＩＮ８ピン構造であって、前記ケーブルの一端側に設けられており、
前記出力コネクタは、単ピン構造であって、前記ケーブルの他端側に設けられている
カーオーディオ用アダプタ。
【請求項２】
カーオーディオ用アダプタと、映像音声装置と、オーディオ装置とを含むカーＡＶシステムであって、
前記映像音声装置は音声信号出力コネクタを有し、前記音声信号出力コネクタはＤＩＮ８ピン構造であり、
前記オーディオ装置は音声信号入力コネクタを有し、前記音声信号入力コネクタは単ピン構造であり、
前記カーオーディオ用アダプタは請求項１に記載されたものでなり、
前記アダプタの前記入力コネクタが前記映像音声装置の前記音声信号出力コネクタに接続され、前記アダプタの前記出力コネクタが前記オーディオ装置の前記音声信号入力コネクタに接続されている
カーＡＶシステム。
【発明の詳細な説明】
【０００１】
【発明の属する技術分野】
本発明は、カーオーディオ用アダプタ、及び、これを含むカーＡＶシステムに関する。
【０００２】
【従来の技術】
一般に、カー・オーディオ・ビジュアル・システム（以下カーＡＶシステムと称する）は、映像音声装置と、オーディオ装置と、ディスプレイ装置とを含む。映像音声装置は、映像信号と、音声信号とを出力する装置である。上述した映像音声装置として、具体的にはＴＶチューナを含むナビゲーション装置等を挙げることができる。
【０００３】
カーＡＶシステムにおいて、オーディオ装置は、映像音声装置から出力される音声信号を再生する音声端末機器として用いられる。ディスプレイ装置は、映像音声装置から出力される映像信号を再生する映像端末機器として用いられる。
【０００４】
近年、上述したカーＡＶシステムの多くは、メーカーオプションとして、予め自動車に付属されていることが多い。
【０００５】
しかし、メーカーオプションとして自動車に付属される映像音声装置、オーディオ装置及びディスプレイ装置は、それぞれがメーカー純正機器で統一され、且、その接続構造が市販の非純正機器を使用することができない態様である場合が多い。
【０００６】
市販の非純正オーディオ装置の音声信号入力コネクタは、例えば、ＲＣＡ（Ｒａｄｉｏ  Ｃｏｒｐｏｒａｔｉｏｎ  ｏｆ  Ａｍｅｒｉｃａ社）型ピンプラグ等に対応した単ピン構造のソケットとなっている。一方、純正映像音声装置の音声信号出力コネクタは、その多くがＤＩＮ８ピン構造のプラグであって、純正オーディオ装置の音声信号入力コネクタもＤＩＮ８ピン構造のソケットとなっている。
【０００７】
その結果、メーカーオプションとしてカーＡＶシステムが自動車に付属されている場合、自動車の購入者は、のちに市販の非純正オーディオ装置を購入しても、これを純正映像音声装置に接続して使用することができないという不都合が生じていた。
【０００８】
【発明が解決しようとする課題】
本発明の課題は、純正映像音声装置と、非純正オーディオ装置とを容易に接続しうるカーオーディオ用アダプタ、及び、これを用いたカーＡＶシステムを提供することである。
【０００９】
【課題を解決するための手段】
上述した課題を解決するため、本発明に係るカーオーディオ用アダプタは、ケーブルと、入力コネクタと、出力コネクタとを含む。前記入力コネクタはＤＩＮ８ピン構造であって、前記ケーブルの一端側に設けられている。前記音声信号出力コネクタは単ピン構造であって、前記ケーブルの他端側に設けられている。
【００１０】
本発明に係るカーＡＶシステムは、上述したカーオーディオ用アダプタと、映像音声装置と、オーディオ装置とを含む。前記映像音声装置は音声信号出力コネクタを有し、前記音声信号出力コネクタはＤＩＮ８ピン構造である。前記オーディオ装置は音声信号入力コネクタを有し、前記音声信号入力コネクタは単ピン構造である。前記カーオーディオ用アダプタは、前記アダプタの前記入力コネクタが前記映像音声装置の前記音声信号出力コネクタに接続され、前記アダプタの前記出力コネクタが前記オーディオ装置の前記音声信号入力コネクタに接続されている。
【００１１】
上述した構造によると、本発明に係るカーオーディオ用アダプタを用いることで、純正映像音声装置と、非純正オーディオ装置とを容易に接続することができる。
【００１２】
本発明の他の目的、構成及び利点については、添付図面を参照し、更に詳しく説明する。添付図面は、単に、例示に過ぎない。
【００１３】
【発明の実施の形態】
１．カーオーディオ用アダプタ
図１は本発明に係るカーオーディオ用アダプタの平面図、図２は図１に示したカーオーディオ用アダプタの右側面図、図３は図１に示したカーオーディオ用アダプタの左側面図である。
【００１４】
図１乃至図３を参照すると、カーオーディオ用アダプタは、ケーブル３１、３２と、入力コネクタ１０と、出力コネクタ２１、２２とを含む。
【００１５】
図示する入力コネクタ１０は、ＤＩＮ８ピン構造を有するソケットであって、ケーブル３１、３２の一端側に設けられている。入力コネクタ１０と、ケーブル３１、３２との接続部分付近には、カバー４０が設けられている。カバー４０は、ケーブル３１、３２の折り曲げや、漏水等に起因する接触不良事故の発生を防止する。
【００１６】
図２を参照すると、入力コネクタ１０は、ピンジャック１０１と、保持部１０２とを有する。ピンジャック１０１はＤＩＮ８ピン構造を有するプラグに対応して８つ設けられ、適当に配列されている。保持部１０２は、入力コネクタ１０と、後述する映像音声装置の音声信号出力コネクタとを確実に結合するための嵌合構造を有する。
【００１７】
図示実施例に係るカーオーディオ用アダプタは、２つの出力コネクタ２１、２２を有する。これは、後述するオーディオ装置が、通常、左右スピーカ用に２つの音声信号入力コネクタを有することに対応したものである。出力コネクタ２１は、ピン２１１を有する単ピン構造のプラグであって、ケーブル３１の他端側に設けられている。出力コネクタ２２は、ピン２２１を有する単ピン構造のプラグであって、ケーブル３２の他端側に設けられている。出力コネクタ２１、２２には、一般に、ＲＣＡ型ピンプラグが用いられる。
【００１８】
上述した入力コネクタ１０、出力コネクタ２１、２２には、既成のプラグ及びソケットを用いることができる。これらは、当該技術分野において、周知の構成部分であるから、上述より詳細な説明は省略する。
【００１９】
２．カーＡＶシステム
上述したカーオーディオ用アダプタは、映像音声装置、オーディオ装置及びディスプレイ装置と組み合わされて、カーＡＶシステムを構成する。次に、本発明に係るカーオーディオ用アダプタを用いたカーＡＶシステムについて説明する。
【００２０】
図４は本発明に係るカーＡＶシステムの構成を示す図である。図５は、従来のカーＡＶシステムの構成を示す図であって、本発明に係るカーＡＶシステムとの対比のために図示した。
【００２１】
図４及び図５に示した映像音声装置５は、映像信号と、音声信号とを出力する装置である。上述した映像音声装置５としては、ＤＶＤ（Ｄｉｇｉｔａｌ  Ｖｅｒｓａｔｉｌｅ  Ｄｉｓｃ）等に記録された交通に係る映像音声情報のみを提供するナビゲーション装置や、ＴＶチューナ部を含み一般放送も視聴可能なナビゲーション装置等を挙げることができる。オーディオ装置６は、映像音声装置５から出力される音声信号を再生する音声端末機器として用いられる。ディスプレイ装置７は、映像音声装置５から出力される映像信号を再生する映像端末機器として用いられる。これらは、当該技術分野において、周知の構成部分であるから、上述より詳細な説明は省略する。
【００２２】
図５を参照すると、従来技術に係るカーＡＶシステムは、それぞれメーカー純正機器である映像音声装置５と、オーディオ装置６と、ディスプレイ装置７とを含む。
【００２３】
図から必ずしも明らかではないが、純正映像音声装置５の音声信号出力コネクタ５１はＤＩＮ８ピン構造を有するプラグであり、純正オーディオ装置６の音声信号入力コネクタ６１はＤＩＮ８ピン構造を有するソケットとなっている。また、映像音声装置５と、ディスプレイ装置７との相互間は、周知の映像信号入力出コネクタにより電気的に接続されている。
【００２４】
通常、市販の非純正オーディオ装置は、音声信号入力コネクタ６１としてＲＣＡ型ピンソケットを有するから、従来のカーＡＶシステムによると、自動車購入者は、市販の非純正オーディオ装置を購入しても、これを純正映像音声装置５に接続することができなかった。
【００２５】
これに対し、図４を参照すると、本実施例に係るカーＡＶシステムは、カーオーディオ用アダプタ１と、映像音声装置５と、オーディオ装置６と、ディスプレイ装置７とを含む。映像音声装置５及びディスプレイ装置７はそれぞれメーカー純正機器であり、オーディオ装置６は非純正機器である。
【００２６】
映像音声装置５は音声信号出力コネクタ５１を有し、音声信号出力コネクタ５１はＤＩＮ８ピン構造を有するプラグである。オーディオ装置６は２つの音声信号入力コネクタ６１を有し、音声信号入力コネクタ６１のそれぞれは単ピン構造を有するソケットである。音声信号入力コネクタ６１は、通常、ＲＣＡ型ピンソケットである。
【００２７】
カーオーディオ用アダプタ１の入力コネクタ１０は、ＤＩＮ８ピン構造を有するソケットであり、映像音声装置５の音声信号出力コネクタ５１に接続されている。同様に、アダプタ出力コネクタ２１、２２は単ピン構造を有するプラグであり、それぞれオーディオ装置６の音声信号入力コネクタ６１に接続されている。従って、カーオーディオ用アダプタ１は、純正映像音声装置５と、非純正オーディオ装置６とを接続し、純正映像音声装置５から送られる音声信号は、カーオーディオ用アダプタ１の入力コネクタ１０からケーブル３１、３２を通じて伝送され、出力コネクタ２１、２２から非純正オーディオ装置６に送られる。
【００２８】
図４に示した本発明の構造によると、純正映像音声装置５と、非純正オーディオ装置６とを容易に接続しうるカーオーディオ用アダプタ、及び、これを用いたカーＡＶシステムを提供することができる。
【００２９】
その結果、自動車購入者は、のちに市販の非純正オーディオ装置を購入して、個々の嗜好に合わせたカーＡＶシステムを容易に編成することができるようになる。
【００３０】
また、本発明に係るカーオーディオ用アダプタ１を用いることで、図５に示した純正オーディオ装置６が故障した場合に、速やかに市販の非純正オーディオ装置を購入し、図４に示すようにカーＡＶシステムを動作させることができる。
【００３１】
以上、好ましい実施例を参照して本発明の内容を具体的に説明したが、本発明の基本的技術思想及び教示に基づいて、当業者であれば、種種の変形態様を採り得ることは自明である。
【００３２】
【発明の効果】
以上述べたように、本発明によれば、純正映像音声装置と、非純正オーディオ装置とを容易に接続しうるカーオーディオ用アダプタ、及び、これを用いたカーＡＶシステムを提供することができる。
【図面の簡単な説明】
【図１】本発明に係るカーオーディオ用アダプタの平面図である。
【図２】図１に示したカーオーディオ用アダプタの右側面図である。
【図３】図１に示したカーオーディオ用アダプタの左側面図である。
【図４】本発明に係るカーＡＶシステムの構成を示す図である。
【図５】従来のカーＡＶシステムの構成を示す図である。
【符号の説明】
１                カーオーディオ用アダプタ
１０              音声信号入力コネクタ
２１、２２        音声信号出力コネクタ
２１１、２２１    単ピン
３１、３２        ケーブル
５                映像音声装置
５１              音声信号出力コネクタ
６                オーディオ装置
６１              音声信号入力コネクタ
【図１】
2004259603.tif 000003
【図２】
2004259603.tif 000004
【図３】
2004259603.tif 000005
【図４】
2004259603.tif 000006
【図５】
2004259603.tif 000007